(57)【特許請求の範囲】
【請求項１】
連続する複数の医用画像のうちから指定された設定対象の医用画像およびそれよりも前方向に存在する医用画像の表示パラメータ値の移動平均値を算出し、前記設定対象の医用画像およびそれよりも後方向に存在する医用画像の表示パラメータ値の移動平均値を算出し、前後両方向の移動平均値を平均し当該平均値を前記設定対象の医用画像の表示パラメータ値として設定することを特徴とする医用画像の表示パラメータ値設定方法。
【請求項２】
請求項１に記載の医用画像の表示パラメータ値設定方法において、前記医用画像はＭＲ画像またはＣＴ画像であり、前記表示パラメータ値はＷＷ値またはＷＬ値であることを特徴とする医用画像の表示パラメータ値設定方法。
【請求項３】
請求項２に記載の医用画像の表示パラメータ値設定方法において、前記連続する複数の医用画像間の形態的変化が大きい場合にはＷＷ値とＷＬ値のうちＷＷ値のみを請求項１にかかる設定方法により設定し、前記複数の医用画像間の形態的変化が小さい場合にはＷＷ値とＷＬ値の両方を請求項１にかかる設定方法により設定することを特徴とする医用画像の表示パラメータ値設定方法。
【請求項４】
請求項３に記載の医用画像の表示パラメータ値設定方法において、撮像部位が頭部かつ撮像角がアキシャルのＭＲ画像またはＣＴ画像に対しては前記形態的変化が大きい場合の設定を行ない、他のＭＲ画像またはＣＴ画像に対しては前記形態的変化が小さい場合の設定を行うことを特徴とする医用画像の表示パラメータ値設定方法。
【請求項５】
連続する複数の医用画像のうちから指定された設定対象の医用画像およびそれよりも前方向に存在する医用画像の移動平均値を算出する前方向移動平均値算出手段と、前記設定対象の医用画像およびそれよりも後方向に存在する医用画像の移動平均値を算出する後方向移動平均値算出手段と、前後両方向の移動平均値を平均して当該平均値を設定対象の医用画像の表示パラメータ値として設定する表示パラメータ値設定手段とを具備したことを特徴とする医用画像診断装置。
【請求項６】
連続する複数のＭＲ画像のＷＷ値またはＷＬ値の少なくとも一方を取得するＷＷ／ＷＬ値取得手段と、前記複数のＭＲ画像のうちから指定された設定対象のＭＲ画像およびそれよりも前方向に存在するＭＲ画像のＷＷ値またはＷＬ値の移動平均値を算出する前方向移動平均値算出手段と、前記設定対象のＭＲ画像およびそれよりも後方向に存在するＭＲ画像のＷＷ値またはＷＬ値を算出する後方向移動平均値算出手段と、前後両方向の移動平均値を平均して当該平均値を前記設定対象の医用画像のＷＷ値またはＷＬ値として設定するＷＷ／ＷＬ値設定手段と、前記設定されたＷＷ値またはＷＬ値により画面上にＭＲ画像を表示するＭＲ画像表示手段とを具備したことを特徴とするＭＲＩ装置。
【発明の詳細な説明】
【０００１】
【発明の属する技術分野】
本発明は、医用画像の表示パラメータ値設定方法、医用画像診断装置およびＭＲＩ装置に関し、さらに詳しくは、ユーザに不自然な印象を与えずに、連続する複数の医用画像を表示し得る表示パラメータ値を設定できる医用画像の表示パラメータ値設定方法、医用画像診断装置およびＭＲＩ装置に関する。特に、ＭＲ（Magnetic Resonance）画像やＣＴ（Computed Tomography）画像のＷＷ（Window Width）値またはＷＬ（Window Level）値を設定するのに有用である。
【０００２】
【従来の技術】
一般に、ＭＲ画像やＣＴ画像などの医用画像の表示に際して、ＷＷ値やＷＬ値などの表示パラメータを設定する必要がある。ＷＷ値やＷＬ値の設定によって画像の見え方が全く異なるため、医用画像を表示する度に、ユーザ（操作技師や医師）は、適正なＷＷ値やＷＬ値を設定する。
しかし、画像ごとに設定を行うのは作業負担が大きいので、設定を支援して作業負担を軽減した次の従来技術が知られている。
（１）図６に示すように、係数パラメータテーブル５０に、撮像部位ごとに係数パラメータＰww／ＰwLを予め格納しておき、表示する画像の撮像部位が指定されると、前記係数パラメータテーブル５０から該当する係数パラメータＰww／ＰwLを読み出し、それらを用いて、
ＷＷ＝Ｐww×Ｓ１
ＷＬ＝ＰwL×Ｓ２
（Ｓ１，Ｓ２はＭＲ画像から得られる統計量）
によりＷＷ／ＷＬ値を算出し、ＷＷ／ＷＬ値を自動設定する技術が知られている。なお、前記Ｓ１は、例えばＭＲ画像の画素値の標準偏差である。前記Ｓ２は、例えばＭＲ画像の画素値の平均値である。
（２）特開平９−２９９３４９号公報には、図７，図８に示すように、トレーニングシリーズと呼ばれる一連の断層画像上で適正に設定されたＷＷ／ＷＬ値をテーブル曲線ＷＷ（Ｘ’），ＷＬ（Ｘ’）として持ち、設定対象シリーズと呼ばれる一連の断層画像の画素値の統計量（標準偏差／平均値）を基にして算出されたＷＷオフセット量／ＷＬオフセット量で前記テーブル曲線ＷＷ（Ｘ’），ＷＬ（Ｘ’）を修正して出力テーブル曲線ＷＷA（Ｘ’），ＷＬA（Ｘ’）を作成し、その出力テーブル曲線ＷＷA（Ｘ’），ＷＬA（Ｘ’）を用いて、前記設定対象シリーズの各断層画像のスライス位置Ｘ’（頭下部，頭中部，頭上部）対応のＷＷ／ＷＬ値を出力するようにした技術が開示されている。
【０００３】
【発明が解決しようとする課題】
上記（１）の従来技術では、撮像部位に対応付けした係数パラメータＰww，ＰwLでＷＷ／ＷＬ値を自動設定するので、連続する複数の医用画像を順に表示する場合、各医用画像に設定されるＷＷ／ＷＬ値のバラツキに起因して輝度やコントラストが不連続となりやすく、ユーザに不自然な印象を与えやすい。
上記（２）の従来技術では、トレーニングシリーズの一連の断層画像について予め設定されたＷＷ／ＷＬ値の傾向を反映して設定対象シリーズの断層画像のＷＷ／ＷＬ値を設定するので、設定対象シリーズの断層画像の状態によってはＷＷ／ＷＬ値を適切に設定することができず、ユーザに不自然な印象を与える。
そこで、本発明の目的は、ユーザに不自然な印象を与えずに、連続する複数の医用画像を表示し得る表示パラメータ値を設定できる医用画像の表示パラメータ値設定方法、医用画像診断装置およびＭＲＩ装置を提供することにある。
【０００４】
【課題を解決するための手段】
第１の観点では、本発明は、連続する複数の医用画像のうちから指定された設定対象の医用画像およびそれよりも前方向に存在する医用画像の表示パラメータ値の移動平均値を算出し、前記設定対象の医用画像およびそれよりも後方向に存在する医用画像の表示パラメータ値の移動平均値を算出し、前後両方向の移動平均値を平均し当該平均値を前記設定対象の医用画像の表示パラメータ値として設定することを特徴とする医用画像の表示パラメータ値設定方法を提供する。
上記第１の観点による医用画像の表示パラメータ値設定方法では、設定対象の医用画像より前方向に存在する医用画像の表示パラメータ値の変化を反映した前方向の移動平均値と，設定対象の医用画像より後方向に存在する医用画像の表示パラメータ値の変化を反映した後方向の移動平均値をそれぞれ算出する。ただし、先頭の医用画像に関しては前方向に医用画像が存在しないので、移動平均値として、例えば先頭の医用画像の表示パラメータ値それ自体を採用する。また、最後尾の医用画像に関しては後方向に医用画像が存在しないので、移動平均値として、例えば最後尾の医用画像の表示パラメータ値それ自体を採用する。
そして、前後両方向の移動平均値を平均することで、設定対象のＭＲ画像の前後に存在する医用画像の表示パラメータ値の変化を平等に反映した表示パラメータ値を算出でき、設定対象の医用画像とそれ以外の医用画像（特に前後に隣接する画像）との不連続性を十分に緩和した表示パラメータ値を設定することが出来る。この結果、ユーザ（操作技師や医師）に不自然な印象を与えずに、連続する複数の医用画像を表示できるようになる。
また、前後どちらの方向の移動平均値にも表示対象の医用画像の表示パラメータ値が反映されるから、設定値に与える影響度は、一般に、表示対象の医用画像の表示パラメータ値が最も大きい。したがって、各医用画像についてユーザサイドで予め決定した表示パラメータ値に比較的に忠実な設定値を算出でき、医用画像についてのユーザ好みに十分対応することが出来る。
【０００５】
第２の観点では、本発明は、上記構成の医用画像の表示パラメータ値設定方法において、前記医用画像はＭＲ画像またはＣＴ画像であり、前記表示パラメータ値はＷＷ値またはＷＬ値であることを特徴とする医用画像の表示パラメータ値設定方法を提供する。
上記第２の観点による医用画像の表示パラメータ値設定方法では、ＭＲ画像やＣＴ画像に関してＷＷ値やＷＬ値を設定するものなので、ユーザに不自然な印象を与えずに、連続する複数のＭＲ画像やＣＴ画像を表示し得るＷＷ値やＷＬ値を設定することが出来る。
【０００６】
第３の観点では、本発明は、上記構成の医用画像の表示パラメータ値設定方法において、前記連続する複数の医用画像間の形態的変化が大きい場合にはＷＷ値とＷＬ値のうちＷＷ値のみを請求項１にかかる設定方法により設定し、前記複数の医用画像間の形態的変化が小さい場合にはＷＷ値とＷＬ値の両方を請求項１にかかる設定方法により設定することを特徴とする医用画像の表示パラメータ値設定方法を提供する。
上記第３の観点による医用画像の表示パラメータ値設定方法では、ＭＲ画像やＣＴ画像間の形態的変化が大きい場合には、画像間で輝度やコントラストなどが大きく変化することに物理的な意味がある点に鑑みて、ＷＬ値を平滑化するとかえって画質が低下する可能性がある。このため、あえてＷＬ値を平滑化せず、ＷＷ値のみを上記第１の観点にかかる設定方法で設定する。一方、ＭＲ画像やＣＴ画像間の形態的変化が小さい場合には、画像間で輝度やコントラストに大きな差異を付けることに物理的な意味がないため、ＷＷ値とＷＬ値の両方を上記第１の観点にかかる設定方法で設定することで、画像間の輝度やコントラストの不連続性を十分に緩和して、ユーザに不自然な印象を与えずに、連続する複数のＭＲ画像やＣＴ画像を表示できる。
【０００７】
第４の観点では、本発明は、上記構成の医用画像の表示パラメータ値設定方法において、撮像部位が頭部かつ撮像角がアキシャルのＭＲ画像またはＣＴ画像に対しては前記形態的変化が大きい場合の設定を行ない、他のＭＲ画像またはＣＴ画像に対しては前記形態的変化が小さい場合の設定を行うことを特徴とする医用画像の表示パラメータ値設定方法を提供する。
上記第４の観点による医用画像の表示パラメータ値設定方法では、撮像部位が頭部かつ撮像角がアキシャル場合、ＭＲ画像やＣＴ画像間で輝度やコントラストの変化が大きくなることに物理的な意味がある点に鑑みて、形態的変化が大きい場合の設定を行なう。一方、他のＭＲ画像またはＣＴ画像の場合には、ＭＲ画像やＣＴ画像間で輝度やコントラストに大きな差異を付けることに物理的な意味がないと判断し、形態的変化が小さい場合の設定を行う。
【０００８】
第５の観点では、本発明は、連続する複数の医用画像のうちから指定された設定対象の医用画像およびそれよりも前方向に存在する医用画像の移動平均値を算出する前方向移動平均値算出手段と、前記設定対象の医用画像およびそれよりも後方向に存在する医用画像の移動平均値を算出する後方向移動平均値算出手段と、前後両方向の移動平均値を平均して当該平均値を設定対象の医用画像の表示パラメータ値として設定する表示パラメータ値設定手段とを具備したことを特徴とする医用画像診断装置を提供する。
上記第５の観点による医用画像診断装置では、上記第１の観点による医用画像の表示パラメータ値設定方法を好適に実施することが出来るため、ユーザに不自然な印象を与えずに、連続する複数のＭＲ画像やＣＴ画像を表示し得る表示パラメータ値を設定することが出来る。
【０００９】
第６の観点では、本発明は、連続する複数のＭＲ画像のＷＷ値またはＷＬ値の少なくとも一方を取得するＷＷ／ＷＬ値取得手段と、前記複数のＭＲ画像のうちから指定された設定対象のＭＲ画像およびそれよりも前方向に存在するＭＲ画像のＷＷ値またはＷＬ値の移動平均値を算出する前方向移動平均値算出手段と、前記設定対象のＭＲ画像およびそれよりも後方向に存在するＭＲ画像のＷＷ値またはＷＬ値を算出する後方向移動平均値算出手段と、前後両方向の移動平均値を平均して当該平均値を前記設定対象の医用画像のＷＷ値またはＷＬ値として設定するＷＷ／ＷＬ値設定手段と、前記設定されたＷＷ値またはＷＬ値により画面上にＭＲ画像を表示するＭＲ画像表示手段とを具備したことを特徴とするＭＲＩ装置を提供する。
上記第６の観点によるＭＲＩ装置では、上記第２の観点にかかる医用画像の表示パラメータ値設定方法を実施してＭＲ画像を表示するものなので、ユーザに不自然な印象を与えずに、連続する複数のＭＲ画像を表示することが出来る。
【００１０】
【発明の実施の形態】
以下、図に示す実施形態により本発明をさらに詳細に説明する。なお、これにより本発明が限定されるものではない。
図１は、本発明の一実施形態にかかるＭＲＩ装置を示すブロック図である。
このＭＲＩ装置１００は、撮像装置１と、処理装置２と、記憶装置３と、表示装置４と、入力装置５とを具備している。
前記撮像装置１は、被検体Ｋをスキャンし、得られたスキャンデータを処理装置２に渡す。
前記処理装置２は、前記撮像装置１からスキャンデータを取得するデータ取得部２ａと、スキャンデータからＭＲ画像の画像データを生成する画像データ生成部２ｂと、ＷＷ値，ＷＬ値を設定するためのＷＷ／ＷＬ値設定部２ｃとを含んでいる。
前記記憶装置３は、前記スキャンデータや前記画像データなどを記憶する。
前記表示装置４は、前記ＭＲ画像や各種の情報を表示する。
前記入力装置５は、操作者が入力する情報を受け付ける。
【００１１】
図２は、前記ＷＷ／ＷＬ値設定部２ｃによりＷＷ値およびＷＬ値を設定する処理を示すフロー図である。
ステップＳＴ１では、記憶装置３から、連続する複数のＭＲ画像に関するＷＷ値およびＷＬ値を読み出す。前記連続するＭＲ画像は、例えば、被検体の脊椎に沿って一定間隔で撮像した一群のマルチスライスイメージである。説明の都合上、連続するＮ枚のＭＲ画像のＷＷ値をＷＷ1，ＷＷ2，…，ＷＷi，…，ＷＷN-1，ＷＷNとし、ＷＬ値をＷＬ1，ＷＬ2，…，ＷＬi，…，ＷＬN-1，ＷＬNとする。
ステップＳＴ２では、設定対象のＭＲ画像の識別番号ｉを、１に初期化する。
【００１２】
ステップＳＴ３では、Ｎ≧ｉ≧２のとき、識別番号ｉに対応したＭＲ画像およびそれよりも前方向に存在するＭＲ画像のＷＷ値の移動平均値ＷＷ’iを、（数１）式により算出する。
（数１）
0004036987.tif 000002
Ｎ≧ｉ≧３のとき、上記（数１）式は、（数２）式のように変形される。
（数２）
0004036987.tif 000003
なお、ｉ＝１のときは、前方向にＭＲ画像が存在しないので、ＷＷ’i＝ＷＷ1とする。
図３の（ａ）〜（ｆ）に、Ｎ＝６のとき、移動平均値ＷＷ’1，ＷＷ’2，…，ＷＷ’Nごとに、各ＭＲ画像の重みα’を示す。図３より、設定対象のＭＲ画像に近いほど重みα’が大きいことが判る。
【００１３】
ステップＳＴ４では、１≦ｉ≦Ｎ−１のとき、識別番号ｉに対応したＭＲ画像およびそれよりも後方向に存在するＭＲ画像のＷＷ値の移動平均値ＷＷ”iを、（数３）式により算出する。
（数３）
0004036987.tif 000004
１≦ｉ≦Ｎ−２のとき、上記（数３）式は、（数４）式のように変形される。（数４）
0004036987.tif 000005
なお、ｉ＝Ｎのときは、後方向にＭＲ画像が存在しないので、ＷＷ’i＝ＷＷNとする。
図４の（ａ）〜（ｆ）に、Ｎ＝６のとき、移動平均値ＷＷ”1，ＷＷ”2，…，ＷＷ”Nごとに、各ＭＲ画像の重みα”を示す。図４より、設定対象のＭＲ画像に近いほど重みα”が大きいことが判る。
【００１４】
ステップＳＴ５では、前後両方向の移動平均値を平均した平均ＷＷ値＝Ave｛ＷＷi｝を（数５）式により算出し、識別番号ｉに対応したＭＲ画像のＷＷ値として設定する。ただし、ｉは、１≦ｉ≦Ｎである。
（数５）
0004036987.tif 000006
３≦ｉ≦Ｎ−２，Ｎ≧５のとき、上記（数５）は、（数６）式のように変形される。
（数６）
0004036987.tif 000007
図５の（ａ）〜（ｆ）に、Ｎ＝６のとき、平均ＷＷ値＝Ave｛ＷＷ1｝，Ave｛ＷＷ2｝，…，Ave｛ＷＷN｝ごとに、各ＭＲ画像の重みαを示す。図５より、設定対象のＭＲ画像に近いほど重みαが大きくなり、設定対象のＭＲ画像から前後に離れるほど重みαが小さくなることが判る（各ＭＲ画像のＷＷ値は、設定対象のＭＲ画像に近づくほど、平均ＷＷ値に反映される）。
【００１５】
ステップＳＴ６では、識別番号ｉに対応したＭＲ画像に関するヘッダ情報を読み込む。
ステップＳＴ７では、ヘッダ情報を参照し、ＭＲ画像の撮像情報がHead/Axial（撮像部位が頭部かつ撮像角がアキシャル）であるか否か判定する。Head/AxialであればステップＳＴ１１に進み、Head/Axialでなければ（例えばHead/SagitalやSpine/Coronalであれば）ステップＳＴ８に進む。すなわち、Head/Axialの場合には、ＭＲ画像間の形態的変化が大きく、輝度やコントラストが大きく変化することに物理的な意味がある点に鑑みて、ＷＬ値を平滑化するとかえって画質が低下する可能性がある。このため、あえてＷＬ値を平滑化しない。一方、Head/Axial以外の場合にはＭＲ画像間の形態的変化が小さく、輝度やコントラストに大きな差異を付けることに物理的な意味がないため、ＷＷ値とＷＬ値の両方を平滑化するための処理に進む。
【００１６】
ステップＳＴ８では、Ｎ≧ｉ≧２のとき、識別番号ｉに対応したＭＲ画像およびそれよりも前方向に存在するＭＲ画像のＷＬ値の移動平均値ＷＬ’を、（数７）式により算出する。
（数７）
0004036987.tif 000008
Ｎ≧ｉ≧３のとき、上記（数７）式は、（数８）式のように変形される。
（数８）
0004036987.tif 000009
なお、ｉ＝１のときは、前方向にＭＲ画像が存在しないので、ＷＬ’ｉ＝ＷＬ１とする。
移動平均値ＷＬ”1，ＷＬ”2，…，ＷＬ”Nにおける各ＭＲ画像の重みβ’は、上記図３の（ａ）〜（ｆ）に示した重みα’と同じになる。
【００１７】
ステップＳＴ９では、１≦ｉ≦Ｎ−１のとき、識別番号ｉに対応したＭＲ画像およびそれよりも後方向に存在するＭＲ画像のＷＬ値の移動平均値ＷＬ”を、（数９）式により算出する。
（数９）
0004036987.tif 000010
１≦ｉ≦Ｎ−２のとき、上記（数９）式は、（数１０）式のように変形される。
（数１０）
0004036987.tif 000011
なお、ｉ＝Ｎのときは、後方向にＭＲ画像が存在しないので、ＷＬ’ｉ＝ＷＬNとする。
移動平均値ＷＬ”1，ＷＬ”2，…，ＷＬ”Nにおける各ＭＲ画像の重みβ”は、上記図４の（ａ）〜（ｆ）に示した重みα”と同じになる。
【００１８】
ステップＳＴ１０では、前後両方向の移動平均値を平均した平均ＷＬ値Ave｛ＷＬｉ｝を（数１１）式により算出し、識別番号ｉに対応したＭＲ画像のＷＬ値として設定する。ただし、ｉは、１≦ｉ≦Ｎである。
（数１１）
0004036987.tif 000012
３≦ｉ≦Ｎ−２，Ｎ≧５のとき、上記（数１１）は、（数１２）式のように変形される。
（数１２）
0004036987.tif 000013
平均ＷＬ値Ave｛ＷＬ1｝，Ave｛ＷＬ2｝，…，Ave｛ＷＬN｝における各ＭＲ画像の重みβは、上記図５の（ａ）〜（ｆ）に示す重みαと同じになる。すなわち、設定対象のＭＲ画像に近いほど重みβが大きくなり、設定対象のＭＲ画像から前後に離れるほど重みβが小さくなる（各ＭＲ画像のＷＬ値は、設定対象のＭＲ画像に近づくほど、平均ＷＬ値に反映される）。
【００１９】
ステップＳＴ１１では、識別番号ｉ＝Ｎとなったか否か判定する。ｉ＝Ｎとなったら全てのＭＲ画像についてＷＷ値（およびＷＬ値）の設定を完了したと判定してＷＷ／ＷＬ値設定処理を終了し、ｉ＝ＮになっていなければＷＷ値（またはＷＬ値）を設定すべきＭＲ画像が残っていると判定してステップＳＴ１２に進む。
ステップＳＴ１２では、識別番号ｉに１を加え、上記ステップＳＴ３に戻る。
【００２０】
図１に戻り、ユーザ（操作技師や医師）が前記入力装置５を介して前記複数のＭＲ画像を表示するように指示すると、上記ＷＷ／ＷＬ値設定処理により設定されたＷＷ／ＷＬ値で、表示装置４に各ＭＲ画像が順に表示される。
【００２１】
以上のＭＲＩ装置１００によれば、設定対象のＭＲ画像から見て前後両方向のＭＲ画像のＷＷ値，ＷＬ値の移動平均値をそれぞれ算出し、それら移動平均値を平均したものをＷＷ値，ＷＬ値として設定するので、ＭＲ画像間の不連続性を十分に緩和できる。
また、各ＭＲ画像のＷＷ値，ＷＬ値は、設定対象のＭＲ画像に近づくほど、より強く設定値に反映されるから、ユーザサイドで予め決定したＷＷ値，ＷＬ値に比較的に忠実なＷＷ値，ＷＬ値を設定でき、ＭＲ画像についてのユーザ好みに十分対応することが出来る。
【００２２】
なお、以上のＭＲＩ装置１００では、前方向または後方向の移動平均値を、先頭または最後尾のＭＲ画像から設定対象のＭＲ画像に至るすべてのＭＲ画像のＷＷ値，ＷＬ値を用いて算出したが、設定対象のＭＲ画像から見て所定の枚数分（例えば５枚分）のＭＲ画像のＷＷ値，ＷＬ値のみを用いて算出してもよい。この場合には、演算処理を簡略化して、各移動平均値をいっそう高速に算出できる。
【００２３】
【発明の効果】
本発明の医用画像の表示パラメータ値設定方法、医用画像診断装置およびＭＲＩ装置によれば、設定対象の医用画像（ＭＲ画像やＣＴ画像）から見て前方向および後方向の医用画像の表示パラメータ（ＷＷ値やＷＬ値）の移動平均値をそれぞれ算出し、前後両方向の移動平均値を平均したものを表示パラメータ値として設定するので、医用画像を順に表示した場合の画像特性（輝度やコントラスト）の不連続性を十分に緩和できる。
【図面の簡単な説明】
【図１】本発明の一実施形態にかかるＭＲＩ装置を示すブロック図である。
【図２】図１のＭＲＩ装置によるＷＷ／ＷＬ値設定処理を示すフロー図である。
【図３】前方向の移動平均値における各ＭＲ画像の重みを示す説明図である。
【図４】後方向の移動平均値における各ＭＲ画像の重みを示す説明図である。
【図５】前方向の移動平均値と後方向の移動平均値との平均値における各ＭＲ画像の重みを示す説明図である。
【図６】従来のＷＷ／ＷＬ値設定方法に用いる係数パラメータテーブルを示す説明図である。
【図７】出力ＷＷテーブル曲線の説明図である。
【図８】出力ＷＬテーブル曲線の説明図である。
【符号の説明】
１００              ＭＲＩ装置
２                  処理装置
２ａ                データ取得部
２ｂ                画像データ生成部
２ｃ                ＷＷ／ＷＬ値設定部
４                  表示装置
５                  入力装置
【図１】
0004036987.tif 000014
【図２】
0004036987.tif 000015
【図３】
0004036987.tif 000016
【図４】
0004036987.tif 000017
【図５】
0004036987.tif 000018
【図６】
0004036987.tif 000019
【図７】
0004036987.tif 000020
【図８】
0004036987.tif 000021